(57)【要約】【課題】移動通信端末機のスライドヒンジ装置は、移動通信端末機の画面部及びベース部に各々結合されるスライド部材及びガイド部材をスプリングアクチュエータによりスライド作動させる移動通信端末機のスライドヒンジ装置が提供される。【解決手段】前記スプリングアクチュエータは、本体部と、前記本体部に互いに反対方向に各々スライド可能に挟合され、一つはスライド部材にヒンジ結合され、他の一つはガイド部材にヒンジ結合される一対のスライダと、前記スライダを弾性的に移動させる弾性スプリングと、を含む。前記本体部は、前記スライダが挿入されるスライド溝が開放形成されるように、ガイドアームが片持ち梁状に延長形成される。したがって、スライド方式で開閉されるスライドヒンジ装置をよりスリム化することができ、それにより移動通信端末機をスリム化することができる。【選択図】図９
2009105867.tif 000002
【特許請求の範囲】
【請求項１】
移動通信端末機の画面部及びベース部に各々結合されるスライド部材及びガイド部材をスプリングアクチュエータによりスライド作動させる移動通信端末機のスライドヒンジ装置であって、
前記スプリングアクチュエータは、本体部と、一つはスライド部材にヒンジ結合され、他の一つはガイド部材にヒンジ結合され、前記本体部に互いに反対方向に各々スライド可能に挟合される一対のスライダと、前記スライダを弾性的に移動させる弾性スプリングと、を含み、
前記本体部は、前記スライダの上部面及び底面のうち少なくとも何れか一つの面が外部に露出されるように開放されたスライド溝を具備することを特徴とする移動通信端末機のスライドヒンジ装置。
【請求項２】
前記本体部は、前記スライダの上部面及び底面を全て外部に露出するスライド溝が形成されるように、ガイドアームを具備することを特徴とする請求項１に記載の移動通信端末機のスライドヒンジ装置。
【請求項３】
前記ガイドアームの内側壁にスライダの両端がスライド可能に嵌合されるガイドレールが形成されることを特徴とする請求項２に記載の移動通信端末機のスライドヒンジ装置。
【請求項４】
前記本体部のスライド溝に、前記スライダにスライド可能に挿入されるスプリングガイドが具備され、前記スプリングガイドの外周面に弾性スプリングが嵌められることを特徴とする請求項１に記載の移動通信端末機のスライドヒンジ装置。
【発明の詳細な説明】
【技術分野】
【０００１】
本発明は、移動通信端末機のスライドヒンジ装置に関し、特に、移動通信端末機のスライドヒンジ装置に関する。
【背景技術】
【０００２】
一般に、移動通信端末機のうち、画面、カメラ、スピーカなどが具備される第１部材を、キーパッドとバッテリが具備される第２部材上で押して、移動通信端末機を開閉するスライド方式の移動通信端末機が提供される。
【０００３】
前記スライド方式の移動通信端末機で、前記第１部材と第２部材とは、スライドモジュールにより連結され、互いにスライドする。
【０００４】
以下、図１〜図４を参照して、従来技術による移動通信端末機用スライド装置について説明する。従来技術による移動通信端末機には、スライドヒンジ装置により、画面部１００がベース部２００に対してスライド可能に具備される。
【０００５】
スライドヒンジ装置は、画面部１００に結合されるスライド部材３００と、ベース部２００に結合されるガイド部材４００と、スライド部材３００とガイド部材４００とをスライド作動させるスプリングアクチュエータ５００とを含む。
【０００６】
スプリングアクチュエータ５００は、本体部５１０と、本体部５１０にスライド可能に嵌合される一対のスライダ５２０と、スライダ５２０を弾性的に移動させる弾性スプリング（図示せず）とを含む。
【０００７】
一対のスライダ５２０のうち一つのスライダ５２０は、スライド部材３００にピン結合され、他のスライダ５２０はガイド部材４００にピン結合される。弾性スプリングの弾性力により、一対のスライダ５２０を押し出すことで、スライド部材３００がガイド部材４００に対して弾性的にスライド移動する。
【０００８】
ここで、図３及び図４に示すように、本体部５１０にはスライダ５２０が挟まれるガイド溝５１１が形成されるが、前記ガイド溝５１１がスライダ５２０の外側面全体を囲むように形成されている。図４に示すスライダ５２０は、四角形状の断面を有し、四つの外側面をガイド溝５１１の内側壁が囲んでいる。
【０００９】
したがって、本体部５１０の厚さがスライダ５２０の厚さよりもっと厚くねばならないため、本体部５１０のスリム化に限界がある。これは、移動通信端末機のスリム化に対して障害要因となっている。
【００１０】
また、弾性スプリングも、本体部５１０の内部に挿入されて具備されるため、本体部５１０がスリム化できない原因となっている。
【発明の開示】
【発明が解決しようとする課題】
【００１１】
本発明は、上述の問題点に鑑みてなされたもので、その目的は、スライド方式で開閉される移動通信端末機をよりスリム化することができる移動通信端末機を提供することにある。
【課題を解決するための手段】
【００１２】
上記目的を達成すべく、本発明による移動通信端末機のスライドヒンジ装置は、移動通信端末機の画面部及びベース部に各々結合されるスライド部材及びガイド部材をスプリングアクチュエータによりスライド作動させる移動通信端末機のスライドヒンジ装置であって、前記スプリングアクチュエータは、本体部と、前記本体部に互いに反対方向に各々スライド可能に挟合され、一つはスライド部材にヒンジ結合され、他の一つはガイド部材にヒンジ結合される一対のスライダと、前記スライダを弾性的に移動させる弾性スプリングと、を含み、前記本体部は、前記スライダの上部面及び底面のうち少なくとも何れか一つの面が外部に露出されるように開放されたスライド溝を具備することを特徴とする。
【００１３】
前記本体部は、前記スライダの上部面及び底面を全て外部に露出するスライド溝が形成されるように、ガイドアームを具備することができる。
【００１４】
もちろん、前記本体部は、スライダの上部面だけ露出されるように底面を覆うか、底面だけ露出されるように上部面を覆って形成されることができる。
【００１５】
好ましくは、前記ガイドアームの内側壁にスライダの両端がスライド可能に嵌合されるガイドレールが形成される。
【００１６】
より好ましくは、前記本体部のスライド溝に、前記スライダにスライド可能に挿入されるスプリングガイドが具備され、前記スプリングガイドの外周面に弾性スプリングが嵌められる
【発明の効果】
【００１７】
本発明による移動通信端末機のスライドヒンジ装置によれば、スライド方式で開閉されるスライドヒンジ装置をよりスリム化することができ、それにより移動通信端末機をスリム化できるという効果が得られる。
【発明を実施するための最良の形態】
【００１８】
以下、本発明による移動通信端末機のスライドヒンジ装置の好ましい実施の形態を、添付図面に基づき詳細に説明する。
【００１９】
本発明の一実施の形態による移動通信端末機のスライドヒンジ装置は、移動通信端末機の画面部（図示せず）とベース部（図示せず）とにそれぞれ結合されるスライド部材３００とガイド部材４００とをスライド作動させるスプリングアクチュエータを含む。
【００２０】
図５〜図１１を参照すると、前記スプリングアクチュエータは、スライド溝１１が開放形成されるようにガイドアーム１２を具備する本体部１０と、前記本体部１０に互いに反対方向にそれぞれスライド可能に嵌合される一対のスライダ２０と、前記スライダ２０を弾性的に移動させる弾性スプリング３０と、前記スライダ２０にスライド可能に挿入されるスプリングガイド４０とを含む。
【００２１】
前記本体部１０は、一対のスライダ２０が挿入される二つのスライド溝１１を具備する。二つのスライド溝１１は、互いに反対方向に対称形成され、スライド溝１１には、スライダ２０が互いに反対方向に出入できるようそれぞれ挿入される。
【００２２】
スライド溝１１は、本体部１０のガイドアーム１２により形成される。すなわち、本体部１０の一側にはガイドアーム１２が片持ち梁状に伸びて、「コ」状のスライド溝１１を形成する。また、一対のスライド溝１１が本体部１０に互いに対称形成され、本体部１０は全体的に「己」形状を有する。
【００２３】
スライド溝１１の内側壁には、スライダ２０の両端がスライド可能に嵌合されるガイドレール１３が形成されている。ガイドレール１３には、スライダ２０の両端がスライド可能に嵌合される。
【００２４】
スライド溝１１には、スライダ２０の出入する出入口が開放形成される。ここで、スライダ２０の両端だけがガイドレール１３に嵌合及び支持され、スライダ２０の上部面２１と底面２２とは、外部に露出されるように完全に開放されて形成される。
【００２５】
すなわち、図１０に示すように、スライド溝１１の上部と下部が開放形成されることで、スライダ２０の上部面２１と底面２２が外部に露出される。スライド溝１１は、スライダ２０の移動方向に沿って、スライダ２０の上部面２１と底面２２の全体が外部に露出されるように形成される。スライド溝１１は、図におけるＺ軸方向に開放形成される。（図におけるＸ軸はスライダの移動方向であり、Ｙ軸及びＺ軸は、それぞれＸ軸に垂直な方向である）よって、スライダ２０の厚さと本体部１０の厚さを同一に形成できるようになり、結果的に本体部１０をスリム化することができる。
【００２６】
言い換えれば、本体部１０がスライダ２０の上部面２１と底面２２を覆わないので、スライダ２０の厚さが本体部１０の厚さよりもっと厚いか、少なくとも本体部１０と同一の厚さに形成されることができる。
【００２７】
ガイドアーム１２も本体部１０と同一の厚さに形成される。
【００２８】
前記スライダ２０の両端一側にはストッパ２３が突出形成され、前記ガイドアーム１２の一側には、ストッパ２３を収容するストッパ溝１４がガイドレール１３と連通形成されている。
【００２９】
ストッパ２３は、ストッパ溝１４と嵌合され、スライダ２０と共にスライド移動しながらスライダ２０の移動距離を制限する。ストッパ２３がストッパ溝１４の両端にぶつかることで、スライダ２０がストッパ溝１４の長さだけ移動幅を持つようになる。また、ストッパ２３がストッパ溝１４に拘束されることで、スライダ２０がスライド溝１１から分離されなくなる。
【００３０】
前記スプリングガイド４０は、前記本体部１０のスライド溝１１に具備される。前記スプリングガイド４０の外主面に、前記スライダ２０がスライド可能に嵌められる。スライダ２０の一側には、スプリングガイド４０が挿入されるガイド収容溝２４が形成されている。また、前記スプリングガイド４０の外主面には、弾性スプリング３０が嵌められる。
【００３１】
したがって、前記スライダ２０はスプリングガイド４０及びガイドレール１３と嵌合され、スライド可能となり、弾性スプリング３０により弾性的に移動する。
【００３２】
図１１に示すように、一対のスライダ２０のうち一つはスライド部材３００にヒンジ結合され、他の一つはガイド部材４００にヒンジ結合される。
【図面の簡単な説明】
【００３３】
【図１】従来技術により移動通信端末機を示す分解斜視図である。
【図２】図１に示すスライドヒンジ装置を示す平面図である。
【図３】図２のＡ−Ａ線に沿う側断面図である。
【図４】図２の左側面図である。
【図５】本発明の一実施の形態による移動通信端末機のスライドヒンジ装置を示す分解斜視図である。
【図６】図５に示す本体部を示す斜視図である。
【図７】図５に示す移動通信端末機のスライドヒンジ装置を示す組立斜視図である。
【図８】図７に示す移動通信端末機のスライドヒンジ装置を示す平面図である。
【図９】図８のＢ−Ｂ線に沿う側断面図である。
【図１０】図８のＣ−Ｃ線に沿う側断面図である。
【図１１】本発明の一実施の形態による移動通信端末機のスライドヒンジ装置の使用状態図である。
【符号の説明】
【００３４】
１０    本体部              
１１    スライド溝
１２    ガイドアーム        
１３    ガイドレール
１４    ストッパ溝          
２０    スライダ
２１    上部面              
２２    底面
２３    ストッパ            
２４    ガイド収容溝
３０    弾性スプリング
４０    スプリングガイド
【図１】
2009105867.tif 000003
【図２】
2009105867.tif 000004
【図３】
2009105867.tif 000005
【図４】
2009105867.tif 000006
【図５】
2009105867.tif 000007
【図６】
2009105867.tif 000008
【図７】
2009105867.tif 000009
【図８】
2009105867.tif 000010
【図９】
2009105867.tif 000011
【図１０】
2009105867.tif 000012
【図１１】
2009105867.tif 000013